(57)【要約】  本発明は、加工が容易な緑化システム用容器を用いた、施工が容易で、防水性、保水性、および断熱性に優れる緑化システムならびにその緑化システムの施工方法を提供する。すなわち、本発明の緑化システムは、植物を植栽するための土壌層と、前記土壌層を支持する透水性の土壌層支持部と、前記土壌層および前記土壌層支持部を支持する、貯水部とその下側の空気層とを有する水容器部とを具え、前記水容器部が、容器ユニットを少なくとも二段重ねることにより前記容器ユニットの間に前記空気層を形成すると共に最上段の前記容器ユニットで貯水部を構成し、前記容器ユニットが、各々水容器となり得る少なくとも二つの容器形状部を互いに連結されて有する。また、その緑化システムの施工方法であって、容器ユニットを少なくとも二段に重ねて配置することにより、上側と下側との前記容器ユニットの間に前記空気層を形成すると共に、最上段の前記容器ユニットを貯水部として前記水容器部を構成し、前記水容器部に支持される前記土壌層支持部を設置し、前記土壌層支持部に支持される前記土壌層を設置するものである。
2009034617.tif 000002
【特許請求の範囲】
【請求項１】
植物を植栽するための土壌層と、前記土壌層を支持する透水性の土壌層支持部と、前記土壌層および前記土壌層支持部を支持する、貯水部とその下側の空気層とを有する水容器部とを具える、植物を育成するための緑化システムであって、
前記水容器部が、容器ユニットを少なくとも二段重ねることにより前記容器ユニットの間に前記空気層を形成すると共に最上段の前記容器ユニットで貯水部を構成し、
前記容器ユニットが、各々水容器となり得る少なくとも二つの容器形状部を互いに連結されて有することを特徴とする、緑化ユニット。
【請求項２】
前記容器ユニットの所定箇所に、隣接する前記容器形状部もしくは前記容器ユニットの外へ水が越流できる越流部が設けられている、請求項１に記載の緑化ユニット。
【請求項３】
前記重ねた容器ユニットの前記容器形状部の形状が、上側の前記容器ユニットの前記容器形状部が下側の前記容器ユニットの前記容器形状部の内部に全体的に収まるように前記下側の容器ユニットの前記容器形状部より浅くなった形状であることを特徴とする、請求項１または請求項２に記載の緑化ユニット。
【請求項４】
前記重ねた容器ユニットの前記容器形状部の形状が、上側の前記容器ユニットの前記容器形状部が下側の前記容器ユニットの前記容器形状部の内部に部分的に収まるように前記下側の容器ユニットの前記容器形状部と同一となった形状であることを特徴とする、請求項１乃至請求項３のいずれかに記載の緑化ユニット。
【請求項５】
前記水容器部が、横方向に並置された複数の前記容器ユニットからなる段を少なくとも二段重ねることにより構成されており、
前記水容器部を構成する少なくとも二段の前記容器ユニットのうち少なくとも一段で、同一の段に配置された前記容器ユニット同士が横方向に隣接する隣接部の位置が上または下の段の前記容器ユニットの前記隣接部と重ならないように配置されたことを特徴とする、請求項１乃至請求項４のいずれかに記載の緑化ユニット。
【請求項６】
前記容器ユニットがプラスチックシートの成形によって形成されていることを特徴とする、請求項１乃至請求項５のいずれかに記載の緑化ユニット。
【請求項７】
植物を植栽するための土壌層と、前記土壌層を支持する透水性の土壌層支持部と、前記土壌層および前記土壌層支持部を支持する、貯水部とその下側の空気層とを有する水容器部とを具える、植物を育成するための緑化システムの施工方法であって、
各々水容器となり得る少なくとも二つの容器形状部を互いに連結されて有する容器ユニットを少なくとも二段に重ねて配置することにより、上側と下側との前記容器ユニットの間に前記空気層を形成すると共に、最上段の前記容器ユニットを貯水部として前記水容器部を構成し、
前記水容器部に支持される前記土壌層支持部を設置し、
前記土壌層支持部に支持される前記土壌層を設置する、緑化システムの施工方法。
【請求項８】
複数の前記容器ユニットを横方向に並置した段を少なくとも二段重ねることにより前記水容器部を構成し、
前記容器ユニットを重ねる際に、前記水容器部を構成する少なくとも二段の前記容器ユニットのうち少なくとも一段で、同一の段に配置された前記容器ユニット同士が横方向に隣接する隣接部の位置が上または下の段の前記容器ユニットの前記隣接部と重ならないように配置することを特徴とする、請求項７に記載の施工方法。
【発明の詳細な説明】
【技術分野】
【０００１】
本発明は、緑化システムが設置される設置面と、植物が植栽される土壌層との間に貯水部を設ける容器を具えた緑化システムおよびその施工方法に関し、特には、植物の熱枯れを防止し得る緑化システムおよびその施工方法に関するものである。
【背景技術】
【０００２】
従来、植物の育成に適当な湿潤状態を維持するために、育成層の下方に透水性のないプラスチックシートで貯水部を設ける育成方法が用いられてきた（例えば、芝の育成について日本国特許公開Ｈ１１−７５５３１号公報参照）。【０００３】
また、植物の熱枯れを防止するために、非平坦屋根と土壌層との間にプランター状のユニットもしくはプランターを設置して空気層を設けた屋根の緑化構造や（例えば、日本国特許公開２００４−１３７８９５号公報参照）、空気層を形成するための脚部を設けた、植物の育成が可能な断熱ブロックが用いられてきた（例えば日本国特許公開２００３−１４７８７３号公報参照）。【０００４】
さらに、屋根の骨格を形成する支持部材に、異なる高さの波型の板を重ね合わせて配置することにより、下側の波型板と上側の波型板との間に角柱状の空気層を形成すると共に上側の波型板の凹部に堰き止め部を設けて貯水部を形成した、防水性および断熱性に優れた緑化屋根が用いられてきた（例えば、日本国特許公開２００１−１６９８２号公報参照）。【０００５】
しかし、空気層を設けずに貯水部のみを設ける場合には、下部からの熱により植物が熱枯れしないように別途断熱材を用いて断熱層を形成する必要があった。【０００６】
また、非平坦屋根にプランター状のユニット等を用いて空気層を形成するには個々の屋根の形状に合わせたプランター状のユニットを製造する必要があり、断熱ブロックを用いて空気層を形成するには断熱ブロックの敷設に多大な労力がかかった。【０００７】
さらに、波型板を用いた緑化屋根においては、貯水部を形成するために板に複数の堰き止め部を加工する必要があり、また、空気層等の端部の開放部分を覆う必要があった。加えて、施工時には上側の板と下側の板とをボルト等で固定する必要があり、煩雑な作業が必要であるという問題点があった。その上、このような波型板を重ね合わせる構造では、緑化システムを設置する場所の大きさや形状に合わせて板を加工するのが困難であり、特に設置場所の端部においても空気層と貯水部とを加工するのが困難であるといった問題があった。
【発明の開示】
【０００８】
本発明は、加工が容易な緑化システム用容器を用いた、施工が容易で、防水性、保水性、および断熱性に優れる緑化システムならびに、その緑化システムの施工方法を提供するものである。
【０００９】
すなわち、本発明の緑化システムは、植物を植栽するための土壌層と、前記土壌層を支持する透水性の土壌層支持部と、前記土壌層および前記土壌層支持部を支持する、貯水部とその下側の空気層とを有する水容器部とを具え、前記水容器部が、容器ユニットを少なくとも二段重ねることにより前記容器ユニットの間に前記空気層を形成すると共に最上段の前記容器ユニットで貯水部を構成し、前記容器ユニットが、各々水容器となり得る少なくとも二つの容器形状部を互いに連結されて有することを特徴とするものである。
【００１０】
また、本発明の緑化システムの施工方法は、植物を植栽するための土壌層と、前記土壌層を支持する透水性の土壌層支持部と、前記土壌層および前記土壌層支持部を支持する、貯水部とその下側の空気層とを有する水容器部とを具える、植物を育成するための緑化システムの施工方法であって、各々水容器となり得る少なくとも二つの容器形状部を互いに連結されて有する容器ユニットを少なくとも二段に重ねて配置することにより、上側と下側との前記容器ユニットの間に前記空気層を形成すると共に、最上段の前記容器ユニットを貯水部として前記水容器部を構成し、前記水容器部に支持される前記土壌層支持部を設置し、前記土壌層支持部に支持される前記土壌層を設置することを特徴とするものである。
【００１１】
本発明の緑化システムによれば、水容器部の最上段に位置する容器ユニットの容器形状部が貯水部として働くので、土壌層支持部を介して土壌層に水分を供給し、または土壌層の余分な水分を排出して土壌層を適切な湿度に保つことができる。また、重ねられた容器ユニット間に空気層が形成されているので、設置面が高温になっても空気層の断熱効果により植物の熱枯れを防止することができると共に、最下段の容器ユニットが施工時等に傷ついても水が漏れることがない。さらに、容器ユニット数または容器形状部の数を増加させることで複数の分割した貯水部を設けられるので、傾斜部などに緑化システムを設置する際に、同一深さの単一容器と比べて容易に貯水部の水分保持量を増加させることができる。その上、容器ユニットの数を増減させることにより緑化システムの設置面形状に柔軟に対応できると共に、個々の水容器を収容する大きな容器を設ける必要が無いので施工を容易にすることができる。
【００１２】
ここで、前記容器ユニットの所定箇所に、隣接する前記容器形状部または前記容器ユニット外へ水が越流できる越流部を設ければ、貯水部の保水量を一定にし、過剰な水を貯水部から排出することができる。
【００１３】
また、前記重ねた容器ユニットの前記容器形状部の形状を、上側の前記容器ユニットの前記容器形状部が下側の前記容器ユニットの前記容器形状部の内部に全体的に収まるように前記下側の容器ユニットの前記容器形状部より浅くなった形状とすれば、上部からの圧力に対して重なり部分において軋みが生じにくくなり、緑化システムの上を人が歩く等しても不快な軋み音が生じることがない。また、緑化システム中で水容器部が占める厚さを薄くすることができる。
【００１４】
さらに、前記重ねた容器ユニットの前記容器形状部の形状を、上側の前記容器ユニットの前記容器形状部が下側の前記容器ユニットの前記容器形状部の内部に部分的に収まるように前記下側の容器ユニットの前記容器形状部と同一となった形状とすれば、前記下側の容器ユニットから突出している前記上側の容器ユニット部分により形成される隙間も空気層として働くので断熱効果が高まる。また、容器ユニットを低コストで大量生産でき、容易に作製することができる。
【００１５】
その上、前記水容器部を、横方向に並置された複数の前記容器ユニットからなる段を少なくとも二段重ねることにより構成し、前記水容器部を構成する少なくとも二段の前記容器ユニットのうち少なくとも一段で、同一の段に配置された前記容器ユニット同士が横方向に隣接する隣接部の位置が上または下の段の前記容器ユニットの前記隣接部と重ならないように配置することにより、隣接部の隙間を塞ぐことができるので、耐根シート等の耐根層を設けることなく植物の根の進入を防ぐことができる。また、この様な方式で容器ユニットを重ねることにより、横方向の容器ユニットの間が重ねられた容器ユニットにより連結されて固定されることとなるので、容器ユニットを横方向に固定する部材等を不要にすることができる。
【００１６】
その他にも、前記容器ユニットをプラスチックシートの成形によって形成すれば、緑化システムの設置面形状により柔軟に対応できると共に、軽量化を図り施工作業等を容易にすることができる。
【００１７】
また、本発明の施工方法によれば、容器ユニットを少なくとも二段重ねるという簡便な作業により、断熱性、防水性、貯水性に優れ、設置条件に柔軟に対応可能な緑化システムを施工することができる。
【００１８】
さらに、複数の前記容器ユニットを横方向に並置した段を少なくとも二段重ねることにより前記水容器部を構成し、前記容器ユニットを重ねる際に、前記水容器部を構成する少なくとも二段の前記容器ユニットのうち少なくとも一段で、同一の段に配置された前記容器ユニット同士が横方向に隣接する隣接部の位置が上または下の段の前記容器ユニットの前記隣接部と重ならないように配置して施工することにより、接合部の隙間を塞ぐことができるので、耐根シート等の耐根層を設けることなく容器間への植物の根の進入を防ぐことができる。また、横方向の容器ユニットが重ねられた容器ユニットにより連結されて固定されることとなるので、容器ユニットを横方向に固定する作業を不要とできて、より簡便な作業で安定性のある緑化システムを施工することができる。
【図面の簡単な説明】
【００１９】
以下、図面を参照して本発明をより具体的に説明する。
【図１】図１は本発明にかかる緑化システムの一実施形態の縦断面を示す一部省略断面図である。
【図２】図２は図１に示す緑化システムの水容器部を構成する容器ユニットの平面図である。
【図３】図３は図１に示す緑化システムの水容器部を構成する容器ユニットの正面図である。
【図４】図４は図１に示す水容器部における容器ユニットの配置関係を簡略に示す平面図である。
【図５】図５は図１に示す水容器部における容器ユニットの重ね方を説明する正面図である。
【図６】図６は図１に示す水容器部の、図２のＡ−Ａ線に沿う縦断面を示す一部省略断面図である。
【図７】図７は本発明にかかる緑化システムの他の実施形態における水容器部の縦断面を示す一部省略断面図である。
【発明を実施するための最良の形態】
【００２０】
図１に示す、この発明の一実施形態の緑化システム１は、緑化する範囲の外周を囲む土留め２と、土留め２の内側で芝３が植栽された土壌層４と、土壌層４を支持する透水性の土壌層支持部１０と、土留め２の内側で設置面５上に配置されて土壌層４および土壌層支持部１０を支持する水容器部２０とを具える。【００２１】
ここで、土留め２には、土壌層４を保持するための構造体を用いることができ、例えば、化粧ブロック等のコンクリートブロックを用いることができる。【００２２】
土壌層４には、植栽する植物に適した土壌を用いることができ、例えば、植栽する植物に合わせて通気性および保湿性を調整した土壌であるシステム土壌を用いることができる。これにより、植物の育成に適した土壌環境で植物を育成することができる。【００２３】
土壌層支持部１０には、土壌を支持できる透水性の素材を用いることができ、例えば、樹脂ネット１２と、その上に積まれた再生炭１１等の高機能炭とで土壌層支持部１０が構成される。このように土壌層支持部１０を設けることで、水容器部２０内への土壌の落下を防止し、土壌層４を支持できる。また、水容器部２０に設けられた後述の貯水部２３から蒸発した水が土壌層支持部１０を通って土壌層４へ適度な水分を供給し、または雨天時や散水時に土壌層４から貯水部２３へ過剰な水分を排出して、土壌層４を適切な湿度に保つことが可能となる。なお、本実施形態以外にも、再生炭１１の代わりに、安価な材料である流木や解体家屋等を用いて土壌層支持部１０を構成しても良い。【００２４】
図１に示す水容器部２０は、図２および図３に示すような容器ユニット２１を複数段（本実施形態では二段）重ねて構成されている。図６に示すように、同一寸法・形状の容器ユニット２１を二段に重ねることにより、上側の段の容器ユニット２１Ａと下側の段の容器ユニット２１Ｂとの間に空気層２４を形成すると共に上段の容器ユニット２１Ａの容器形状部２２Ａが貯水部２３を構成する。これにより、貯水部２３に水が貯水可能となり、土壌層４の湿度を適切に保つことができる。また、貯水部２３の下側および越流部２７Ａ、２７Ｂの間、そして越流部２７Ｂの下方にそれぞれ形成された空気層２４の断熱効果により、土壌層４に植栽した植物の熱枯れを防止することができる。さらに、緑化システム１の、外部と直接接触することのない上段の容器ユニット２１Ａの容器形状部２２Ａが貯水部２３を構成するので、下段の容器ユニット２１Ｂが施工時等に多少傷ついても水漏れが生ずることがない。【００２５】
空気層の形成に関してより詳細に説明すると、容器ユニット２１は、各々水容器となる少なくとも二つの容器形状部２２を互いに連結されて有しており、図２および図３に示すように、各容器形状部２２は、例えば、横断面が四角形状で下部に向かって漸次横断面積が小さくなる、栽頭角錐形状を有する。このような、下部に向かって漸次細くなる形状の容器形状部２２を重ねることにより、上段の容器ユニット２１Ａの容器形状部２２Ａの底面２６Ａが下段の容器ユニット２１Ｂの容器形状部２２Ｂの側壁２５Ｂに係止され、下段の容器ユニット底面２６Ｂと上段の容器ユニット底面２６Ａとの間に空気層２４が形成されると同時に、下段の容器ユニット２１Ｂの越流部２７Ｂと上段の容器ユニット２１Ａの越流部２７Ａとの間にも空気層２４が形成されることとなる。【００２６】
なお、上段の容器ユニット２１Ａの容器形状部２２Ａを、下段の容器ユニット２１Ｂの容器形状部２２Ｂに重ねられる大きさで、容器形状部２２Ｂのサイズより大きいサイズの相似形となるように構成しても、空気層２４を形成することが可能である。上段の容器形状部２２のサイズが大きい場合には、同じサイズの容器ユニット２１を重ねた場合より高い位置で容器形状部２２の底面２６が係止されることとなるので、同一サイズの容器形状部を有する容器ユニット２１を重ねた場合より大きい空気層２４を形成することができる。【００２７】
また、容器ユニット２１は、各容器形状部２２を形成する四つの側壁２５の各上部中央に、隣接する容器形状部２２または容器ユニット２１外に水が越流する越流部２７となる溝を有する。これにより、越流部２７となる溝より貯水部２３の水位が上昇することはなく、貯水部２３の保水量を一定にし、過剰な水を貯水部２３から排出して、水面と樹脂ネット１２との間にも空間を形成することができる。さらに、緑化システム１の設置面積に対する容器形状部２２の数を増やせば、傾斜部に緑化システム１を設置した場合に、同じ深さの単一の容器と比べて保水量を増加させることができる。【００２８】
さらに、容器ユニット２１は、越流部２７を溝形の橋状に形成して越流部２７のみで容器形状部２２の間を連結するように形成しても良いし、容器形状部２２の上辺全てで連結するように形成しても良い。そして、容器ユニット２１は、例えば、軽量なプラスチックシートをプレス成形して作製することができ、他にも周知の素材、技術を用いて作製することができる。【００２９】
さらに、図４および図５に示すように、容器ユニット２１を重ねる際に、水容器部２０の下段を構成する容器ユニット２１Ｂ同士が隣接する位置と、上段を構成する容器ユニット２１Ａ同士が隣接する位置とが上下に整列しないように重ねることにより、隣接部２８の隙間を塞ぎつつ水容器部２０を構成することができる。具体的には、図５に例示するように、並列する二つの容器ユニット２１Ｂが互いに隣接する隣接部２８Ｂの上に、上段の容器ユニット２１Ａの容器形状部２２Ａが連結されている部分を位置させて容器ユニット２１Ａを重ねる。これにより、図６に示すように、下段の容器ユニット２１Ｂ間の隣接部２８Ｂの上には上段の容器ユニット２１Ａが配置されてそれが隣接部２８Ｂの隙間を塞ぎ、上段の容器ユニット２１Ａ間の隣接部２８Ａの下には下段の容器ユニット２１Ｂが配置されてそれが隣接部２８Ａの隙間を塞ぐ。そして、緑化システム１の設置面５の全面に渡って前記の方式で容器ユニット２１を重ねると、上段の容器ユニット２１Ａを実線で、下段の容器ユニット２１Ｂを破線で示す図４からもわかるように、設置面５の全面に渡って容器ユニット２１間の隙間を塞ぐことができる。これにより、容器ユニット２１間の隙間から下方への植物の根の侵入が防止できるので、耐根シート等の耐根層を不要とすることができる。また、このような方式で容器ユニット２１を重ねることにより、容器ユニット２１同士が横方向に固定されることになるので、容器ユニット２１を横方向に固定する部材を不要とすることができる。なお、容器ユニット２１を三段以上に重ねて水容器部２０を構成する場合には、少なくとも一つの段を、その下側の段の隣接部２８の隙間を塞ぐように配置すれば良い。【００３０】
以上示した緑化装置は、緑化システム１の設置面５の外周に土留め２としてのコンクリートブロックを設置し、コンクリートブロックで囲まれた設置面５に一段目の容器ユニット２１Ｂを敷設し、その上に二段目の容器ユニット２１Ａを一段目を形成する容器ユニット２１Ｂが隣接する隣接部２８Ｂと、二段目を形成する容器ユニット２１Ａが隣接する隣接部２８Ａとが上下に整列しない位置となるように敷設して水容器部２０を構成し、前記のように構成した水容器部２０の上に、樹脂ネット１２、再生炭１１、およびシステム土壌を順に敷設して、システム土壌に任意の植物を植栽するという手順で施工することができる。【００３１】
このような緑化システム１によれば、防水性、保水性、および断熱性に優れた緑化システム１を提供でき、また、容器ユニット２１の数を調整することにより、設置面５の形状に合わせて容易に施工することができる。また、容器ユニット２１には同一形状のものを用いているので、大量生産によりコスト低減を図ることができる。さらに、同一形状の容器ユニット２１を重ねて空気層２４を形成することで、上側の容器ユニット２１が下側の容器ユニット２１から突出する部分にも空間が生じ、その空間も空気層２４として作用させて断熱効果を高めることができる。【００３２】
以下に、本発明にかかる緑化システムの他の実施形態に関して説明する。なお、本実施形態は、容器ユニット２１の容器形状部２２の形状が上段と下段で異なる点において先の実施形態と相違し、他の点では先の実施形態と同一のものである。【００３３】
図７に示すように、本実施形態においては、水容器部２０を構成する上段の容器ユニット２１Ａと下段の容器ユニット２１Ｂとで容器形状部２２の形状が異なっている点を特徴としている。【００３４】
具体的には、容器ユニット２１の容器形状部２２の高さが、上段の容器ユニット２１Ａより下段の容器ユニット２１Ｂの方が高い容器ユニット２１を用いて水容器部２０を構成し、容器ユニット２１が重なった際に上段の容器形状部２２Ａが下段の容器形状部２２Ｂの内部に全体的に収まるようにした。これにより、上段の容器ユニット２１Ａの容器形状部２２Ａの底面２６Ａが下段の容器ユニット２１Ｂの容器形状部２２Ｂの側壁２５Ｂと当接することがないので、水容器部２０に上部から圧力がかかっても重なり部分において軋みが生じにくくなり、緑化システム１の上を人が歩く等しても不快な軋み音を生じることが無くなる。また、緑化システム１の中で水容器部２０が占める厚さを薄くすることができる。【００３５】
以上、図面を参照して本発明にかかる緑化システムの実施形態に関して説明したが、本発明は前記実施形態に限定されるものではなく、構成部材の材質、製法、容器形状部の数、容器ユニットの配置等は、技術常識に従い他の部材、製法に置換することができる。【００３６】
例えば、容器ユニット２１の容器形状部２２の形状は、栽頭円錐、上下の段で太さの異なる円柱、半球等、様々な形状を取ることができる。また、容器形状部２２の側壁２５に容器形状部２２内側へ向かうビード等の凸部を作製し、または容器形状部２２に下側の断面積が小さくなるような段差を形成して確実に上段の容器ユニット２１Ａを係止可能とし、上部から圧力がかかっても確実に空気層２４を保持することができるようにしても良い。さらに、容器形状部２２の連結部となる越流部２７を溝形の橋状等の立体的形状に形成すれば、容器ユニット２１の折り曲げ耐性が向上する。【００３７】
また、水容器部２０の最上段を構成する容器ユニット２１にのみ、その外周に土壌層４まで伸びる壁面を一体的に形成すれば、土留め２を別途設けることなく容器ユニット２１のみで土壌を保持できる。
【図１】
2009034617.tif 000003
【図２】
2009034617.tif 000004
【図３】
2009034617.tif 000005
【図４】
2009034617.tif 000006
【図５】
2009034617.tif 000007
【図６】
2009034617.tif 000008
【図７】
2009034617.tif 000009
【国際調査報告】
2009034617.tif 000010
2009034617.tif 000011